(57)【要約】【課題】  本発明は、極めて安価で交換可能な交通安全のためのカラーコーン用の識別キャップを提供する。【解決手段】  カラーコーン用識別キャップであって、扇型の平面状のシートに人の肉眼に認識されやすいカラーテープで縞模様として形成し、扇型の半径方向を合わせて接着して、コーン状に形成することができる識別キャップである。このキャップは、カラーコーンにキャップ状に被せて道路工事現場に配置すると、人の肉眼に極めて認識され易いので、工事現場の安全を確保することができる。また、この識別キャップは極めて安価なので、泥等汚染された場合には、簡単に交換ができる。【選択図】  図１
2004257240.tif 000002
【特許請求の範囲】
【請求項１】
カラーコーン用識別キャップであって、扇型の平面状のシートに人の肉眼に認識されやすいテープで縞模様として形成し、前記扇型の半径方向を合わせて接着して、コーン状に形成することができることを特徴とする識別キャップ。
【請求項２】
前記シートは、プラスティックを塗布した紙、合成樹脂のシートであることを特徴とする請求項１記載の識別キャップ。
【請求項３】
前記縞模様は、肉眼に認識され易い２色の縞模様であることを特徴とする請求項１又は２に記載された識別キャップ。
【請求項４】
前記縞模様は、蛍光塗料が塗布されていることを特徴とする請求項１から３のいずれかに記載の識別キャップ。
【発明の詳細な説明】
【技術分野】
【０００１】
本発明は道路補修工事、ガス配管等の道路工事などを行う際に工事区域を表示するために使用するカラーコーン用の識別キャップに関する。
【０００２】
従来道路工事を行う際には、工事区域を示すために円錐形のカラーコーンを工事区域の境界に配置する。このカラーコーンは高さ約７０ｃｍ、底部の直径約３７ｃｍの円錐形であり、種々の単色カラーのプラスチック製である。使用当初は泥などが付着していないので、人の肉眼に認識されやすい。
【０００３】
しかし、ある程度使用されると雨水、自動車からの跳ね返り泥水などにより汚染されて、人の肉眼に認識されにくくなる。そこで、また、カラーコーンは通常単色のために泥で汚染されると認識されにくくなる。そこで、常に鮮やかな色彩であり、できれば２色の色彩であることが望ましい。
【０００４】
そこで、実開平７−４２７９８号では、カラーコーンと同様なセーフティコーンのための縞模様をしたキャップ式保安具を開示している。特に遠方から認識されやすいように、縞模様をした部分に夜間発光する発光ダイオードをちりばめて認識されやすいように配慮している。更に、上記発行ダイオードを発光させるために電気配線を配置している。
【特許文献１】実開平７−４２７９８号
【発明の開示】
【発明が解決しようとする課題】
【０００５】
しかし、前記発光ダイオードを付着させた保安具でも、泥が付着すると、夜間認識されることが困難である。また、このような保安具は当然高価であり、あまり使用されていない。また、発光させるために電気が必要であり、電池又は給電設備を必要であり、簡単に利用できないのが現状である。
【０００６】
そこで、安価で、泥で汚染された場合には簡単に交換でき、しかも工事区域を人又は自動車の運転者に容易に認識される、カラーコーン用の識別キャップが望まれている。  
【課題を解決するための手段】
【０００７】
発明者は上記の点を種々検討し、下記の発明をするに至った。
発明の第１の態様は、カラーコーン用識別キャップであって、扇型の平面状のシートに人の肉眼に認識されやすいテープ状の縞模様を形成し、前記扇型の半径方向を合わせて接着して、コーン状に形成することができる識別キャップである。
【０００８】
発明の第２の態様は、前記シートは、プラスティックを塗布した紙、合成樹脂のシートであることを特徴とする識別キャップである。
【０００９】
発明の第３の態様は、前記縞模様は、肉眼に認識され易い２色の縞模様であることを特徴とする識別キャップである。
【００１０】
発明の第４の態様は、前記縞模様は、蛍光塗料が塗布されていることを特徴とする識別キャップである。
【発明の効果】
【００１１】
本発明に係るカラーコーン用の識別キャップは特に安価な素材を利用して、安価に作成されるので、キャップが泥等で汚染された場合には頻繁に交換できるので、常に清浄な交通安全標識として機能し、交通安全を担保できる。
また、必要により蛍光塗料で縞模様を作成すると、夜間でも人の肉眼に容易に認識される。本質的に安価であるため常に利用され、交通の安全を確保できる利点がある。
【発明を実施するための最良の形態】
【００１２】
本発明の具体的実施態様を図１から図６により説明する。図１は、作成された識別キャップ４を通常市販されているカラーコーン２に装着ないし被せた状態を示す。識別キャップは、扇型の平面状のシートに人の肉眼に認識されやすいテープ状の縞模様を形成し、前記扇型の半径方向を合わせて接着して、コーン状に形成することができる識別キャップである。
【００１３】
この識別キャップの素材は、プラスティックを塗布した紙、合成樹脂のシートであり、極めて安価に製造できる。しかし、シートはこれらの材料に限定されるものではない。安価で、雨などの水により簡単に変形又は変色しないものであればよい。シートが汚染された場合には、新しいに物と交換するここができる。そこで、このキャップは常に明瞭であり、人の肉眼、あるいは車両の運転者に認識されるので、交通安全を確保できる。
【００１４】
図２及び図３には、識別キャップ４の正面図と背面図を示す。正面図では、キャップの縞模様が上に凸形状になっている。他方、図３に示す背面図では縞模様が下に凸形状になっている。そして、合わせ目６が上下に走っている。図６は、このコーン状の識別キャップの作成過程を示す図である。
【００１５】
例えば、赤色の扇型のシート１０に、白色のテープ８を直線状に貼り付けて、縞状模様を作成する。ついで、扇の半径方向の両端を接着材で張り合わせるとコーン状に作成することができる。このように縞模様を作成すると、図２と図３に示すように、正面図では縞模様が上に凸形状となり、背面図では縞模様が下側に凸形状となる。即ち、図２と図３に示す縞模様は、平面状の扇型シート−に地色とは異なる直線状のテープを張り合わせることにより作成するので、上記外観の正面図と背面図が現れる。
【００１６】
従って、識別キャップを上方から見た平面図では縞模様の平面状の幅が手前側で太く、背面側ではその幅が小さくなる。扇型の原紙の合わせ目が背面側に観察される。図５には底面図を示す。作成されたコーン状のキャップを下側から観察すると、扇型のシートの張り合わせ目６が観察される。
【００１７】
扇型のシートの張り合わせて、現地で使用するまでは、２つ折り又は３つ折りとして貯蔵又は運搬することができる。その点で場所をとらず便利である。現地で使用する際に、コーン状に成形して、カラーコーンに被せると交通標識として利用できる。
【００１８】
本発明は上記実施例に限定されず、当業者の容易な変形を含むものである。たとえば、色彩に関して、赤色の素材に白色のテープを直線状に貼り付けた例を示したが、シートを青色とし、補色関係にある色のテープを直線状に貼り付けたものでもよい。白色と緑色の組み合わせでもよい。
【図面の簡単な説明】
【００１９】
【図１】本発明の識別キャップをカラーコーンに被せた状態を示す図である。
【図２】本発明の識別キャップを正面図である。
【図３】本発明の識別キャップを背面図である。
【図４】本発明の識別キャップ上方から縞模様を観察した平面図である。
【図５】本発明の識別キャップ下方から観察した平面図である。
【図６】本発明のコーン型識別キャップを作成する前における展開図であり、縞模様が直線状に形成されていることを示す。
【符号の説明】
【００２０】
２  カラーコーン
４  識別キャップ
６  張り合わせ目  
８  テープ
１０  シート
【図１】
2004257240.tif 000003
【図２】
2004257240.tif 000004
【図３】
2004257240.tif 000005
【図４】
2004257240.tif 000006
【図５】
2004257240.tif 000007
【図６】
2004257240.tif 000008